(57)【特許請求の範囲】
【請求項１】
太陽光発電所の設備に設けられた機器が作業者の動作に応じた信号を出力した際に当該信号の入力を受け付ける入力部と、
前記入力部に入力された信号に対応した情報を記憶する記憶部と、
を備え、
前記入力部は、作業者の動作に応じた信号として、前記太陽光発電所の設備に設けられた無線通信装置が当該無線通信装置の通信可能範囲に存在する携帯端末と無線通信を確立した際に当該無線通信装置が出力する信号の入力を受け付け、
前記太陽光発電所における外気温を測定する気温計の測定値が予め設定された値を超えた場合に前記無線通信装置に対して前記携帯端末に警報を報知するように指示する信号を出力する監視部、
を備え、
前記監視部は、前記携帯端末から前記無線通信装置に入力された識別情報と気温計の測定値と移動時間とに基づいて異常作業時間を生成し、作業者の作業時間が前記異常作業時間を超えた場合に異常と判定する太陽光発電所の監視装置。
【請求項２】
太陽光発電所の設備に設けられた機器が作業者の動作に応じた信号を出力した際に当該信号の入力を受け付ける入力部と、
前記入力部に入力された信号に対応した情報を記憶する記憶部と、
を備え、
前記入力部は、作業者の動作に応じた信号として、前記太陽光発電所の設備に設けられた無線通信装置が当該無線通信装置の通信可能範囲に存在する携帯端末と無線通信を確立した際に当該無線通信装置が出力する信号の入力を受け付け、
前記太陽光発電所における外気温を測定する気温計の測定値が予め設定された値を超えた場合に前記無線通信装置に対して前記携帯端末に警報を報知するように指示する信号を出力する監視部、
を備え、
前記監視部は、前記携帯端末から前記無線通信装置に入力された識別情報と気温計の測定値と移動時間とに基づいて標準移動時間を生成し、作業者の移動時間が予め設定された回数だけ前記標準移動時間を超えた場合に異常と判定する太陽光発電所の監視装置。
【請求項３】
前記記憶部は、前記作業者の作業履歴として前記入力部に入力された信号に対応した情報を記憶する請求項１または請求項２に記載の太陽光発電所の監視装置。
【請求項４】
前記入力部は、作業者の動作に応じた信号として、前記太陽光発電所の設備に設けられた扉の開閉状況に対応した信号の入力を受け付ける請求項１から請求項３のいずれか一項に記載の太陽光発電所の監視装置。
【請求項５】
前記監視部は、前記太陽光発電所における雨量を測定する雨量計の測定値が予め設定された値を超えた場合に前記無線通信装置に対して前記携帯端末に警報を報知するように指示する信号を出力する請求項１から請求項４のいずれか一項に記載の太陽光発電所の監視装置。
【請求項６】
太陽光発電所の設備に設けられた機器が作業者の動作に応じた信号を出力した際に当該信号の入力を受け付ける入力部と、
前記入力部に入力された信号に対応した情報を記憶する記憶部と、
を備え、
前記入力部は、作業者の動作に応じた信号として、前記太陽光発電所の設備に設けられた無線通信装置が当該無線通信装置の通信可能範囲に存在する携帯端末と無線通信を確立した際に当該無線通信装置が出力する信号の入力を受け付け、
前記太陽光発電所における外気温を測定する気温計の測定値が予め設定された値を超えた場合に太陽光パネルからの直流電力を交流電力に変換するパワーコンディショナが収納されたエンクロージャに設けられた報知装置に警報を報知するように指示する信号を出力する監視部、
を備え、
前記監視部は、前記携帯端末から前記無線通信装置に入力された識別情報と気温計の測定値と移動時間とに基づいて異常作業時間を生成し、作業者の作業時間が前記異常作業時間を超えた場合に異常と判定する太陽光発電所の監視装置。
【請求項７】
太陽光発電所の設備に設けられた機器が作業者の動作に応じた信号を出力した際に当該信号の入力を受け付ける入力部と、
前記入力部に入力された信号に対応した情報を記憶する記憶部と、
を備え、
前記入力部は、作業者の動作に応じた信号として、前記太陽光発電所の設備に設けられた無線通信装置が当該無線通信装置の通信可能範囲に存在する携帯端末と無線通信を確立した際に当該無線通信装置が出力する信号の入力を受け付け、
前記太陽光発電所における外気温を測定する気温計の測定値が予め設定された値を超えた場合に太陽光パネルからの直流電力を交流電力に変換するパワーコンディショナが収納されたエンクロージャに設けられた報知装置に警報を報知するように指示する信号を出力する監視部、
を備え、
前記監視部は、前記携帯端末から前記無線通信装置に入力された識別情報と気温計の測定値と移動時間とに基づいて標準移動時間を生成し、作業者の移動時間が予め設定された回数だけ前記標準移動時間を超えた場合に異常と判定する太陽光発電所の監視装置。
【請求項８】
前記監視部は、前記エンクロージャの内部の温度を測定する室温計の測定値が予め設定された温度を超えた場合に前記報知装置に警報を報知するように指示する信号を出力する請求項６または請求項７に記載の太陽光発電所の監視装置。
【請求項９】
前記監視部は、前記太陽光発電所における雨量を測定する雨量計の測定値が予め設定された値を超えた場合に前記報知装置に警報を報知するように指示する信号を出力する請求項６から請求項８のいずれか一項に記載の太陽光発電所の監視装置。
【発明の詳細な説明】
【技術分野】
【０００１】
この発明は、太陽光発電所の監視装置に関する。
【背景技術】
【０００２】
特許文献１は、太陽光発電所を開示する。太陽光発電所において、太陽光パネルは、太陽光の照射により直流電力を発生させる。パワーコンディショナは、太陽光パネルからの直流電力を交流電力に変換する。パワーコンディショナは、当該交流電力を受変電設備に送る。太陽光発電所は、無人で運用される。
【先行技術文献】
【特許文献】
【０００３】
【特許文献１】特開２０１４−１１７１５６号公報
【発明の概要】
【発明が解決しようとする課題】
【０００４】
しかしながら、太陽光発電所での保守作業時においては、作業者が太陽光発電所に出向いて作業を行う。このため、作業者の安全の監視が必要となる。
【０００５】
この発明は、上述の課題を解決するためになされた。この発明の目的は、作業者の安全を監視することができる太陽光発電所の監視装置を提供することである。
【課題を解決するための手段】
【０００６】
この発明に係る太陽光発電所の監視装置は、太陽光発電所の設備に設けられた機器が作業者の動作に応じた信号を出力した際に当該信号の入力を受け付ける入力部と、前記入力部に入力された信号に対応した情報を記憶する記憶部と、を備え、前記入力部は、作業者の動作に応じた信号として、前記太陽光発電所の設備に設けられた無線通信装置が当該無線通信装置の通信可能範囲に存在する携帯端末と無線通信を確立した際に当該無線通信装置が出力する信号の入力を受け付け、前記太陽光発電所における外気温を測定する気温計の測定値が予め設定された値を超えた場合に前記無線通信装置に対して前記携帯端末に警報を報知するように指示する信号を出力する監視部、を備え、前記監視部は、前記携帯端末から前記無線通信装置に入力された識別情報と気温計の測定値と移動時間とに基づいて異常作業時間を生成し、作業者の作業時間が前記異常作業時間を超えた場合に異常と判定する。
この発明に係る太陽光発電所の監視装置は、太陽光発電所の設備に設けられた機器が作業者の動作に応じた信号を出力した際に当該信号の入力を受け付ける入力部と、前記入力部に入力された信号に対応した情報を記憶する記憶部と、を備え、前記入力部は、作業者の動作に応じた信号として、前記太陽光発電所の設備に設けられた無線通信装置が当該無線通信装置の通信可能範囲に存在する携帯端末と無線通信を確立した際に当該無線通信装置が出力する信号の入力を受け付け、前記太陽光発電所における外気温を測定する気温計の測定値が予め設定された値を超えた場合に前記無線通信装置に対して前記携帯端末に警報を報知するように指示する信号を出力する監視部、を備え、前記監視部は、前記携帯端末から前記無線通信装置に入力された識別情報と気温計の測定値と移動時間とに基づいて標準移動時間を生成し、作業者の移動時間が予め設定された回数だけ前記標準移動時間を超えた場合に異常と判定する。
この発明に係る太陽光発電所の監視装置は、太陽光発電所の設備に設けられた機器が作業者の動作に応じた信号を出力した際に当該信号の入力を受け付ける入力部と、前記入力部に入力された信号に対応した情報を記憶する記憶部と、を備え、前記入力部は、作業者の動作に応じた信号として、前記太陽光発電所の設備に設けられた無線通信装置が当該無線通信装置の通信可能範囲に存在する携帯端末と無線通信を確立した際に当該無線通信装置が出力する信号の入力を受け付け、前記太陽光発電所における外気温を測定する気温計の測定値が予め設定された値を超えた場合に太陽光パネルからの直流電力を交流電力に変換するパワーコンディショナが収納されたエンクロージャに設けられた報知装置に警報を報知するように指示する信号を出力する監視部、を備え、前記監視部は、前記携帯端末から前記無線通信装置に入力された識別情報と気温計の測定値と移動時間とに基づいて異常作業時間を生成し、作業者の作業時間が前記異常作業時間を超えた場合に異常と判定する。
この発明に係る太陽光発電所の監視装置は、太陽光発電所の設備に設けられた機器が作業者の動作に応じた信号を出力した際に当該信号の入力を受け付ける入力部と、前記入力部に入力された信号に対応した情報を記憶する記憶部と、を備え、前記入力部は、作業者の動作に応じた信号として、前記太陽光発電所の設備に設けられた無線通信装置が当該無線通信装置の通信可能範囲に存在する携帯端末と無線通信を確立した際に当該無線通信装置が出力する信号の入力を受け付け、前記太陽光発電所における外気温を測定する気温計の測定値が予め設定された値を超えた場合に太陽光パネルからの直流電力を交流電力に変換するパワーコンディショナが収納されたエンクロージャに設けられた報知装置に警報を報知するように指示する信号を出力する監視部、を備え、前記監視部は、前記携帯端末から前記無線通信装置に入力された識別情報と気温計の測定値と移動時間とに基づいて標準移動時間を生成し、作業者の移動時間が予め設定された回数だけ前記標準移動時間を超えた場合に異常と判定する。
【発明の効果】
【０００７】
この発明によれば、太陽光発電所の設備に設けられた機器が作業者の動作に応じた信号を出力した際に当該信号に対応した情報が記憶される。このため、作業者の安全を監視することができる。
【図面の簡単な説明】
【０００８】
【図１】この発明の実施の形態１における太陽光発電所の監視装置のシステム構成図である。
【図２】この発明の実施の形態１における太陽光発電所の監視装置と遠隔監視装置とのブロック図である。
【図３】この発明の実施の形態１における太陽光発電所の監視装置の動作を説明するためのフローチャートである。
【図４】この発明の実施の形態１における太陽光発電所の監視装置の要部のハードウェア構成図である。
【図５】この発明の実施の形態２における太陽光発電所の監視装置のシステム構成図である。
【図６】この発明の実施の形態２における太陽光発電所の監視装置と遠隔監視装置とのブロック図である。
【図７】この発明の実施の形態２における太陽光発電所の監視装置の動作を説明するためのフローチャートである。
【図８】この発明の実施の形態３における太陽光発電所の監視装置のシステム構成図である。
【図９】この発明の実施の形態３における太陽光発電所の監視装置と遠隔監視装置とのブロック図である。
【図１０】この発明の実施の形態３における太陽光発電所の監視装置の動作を説明するためのフローチャートである。
【図１１】この発明の実施の形態４における太陽光発電所の監視装置のシステム構成図である。
【図１２】この発明の実施の形態４における太陽光発電所の監視装置と遠隔監視装置のブロック図である。
【図１３】この発明の実施の形態４における太陽光発電所の監視装置の動作を説明するためのフローチャートである。
【発明を実施するための形態】
【０００９】
この発明を実施するための形態について添付の図面に従って説明する。なお、各図中、同一又は相当する部分には同一の符号が付される。当該部分の重複説明は適宜に簡略化ないし省略する。
【００１０】
実施の形態１．
図１はこの発明の実施の形態１における太陽光発電所の監視装置のシステム構成図である。
【００１１】
図１において、太陽光発電所は、複数の太陽光パネル１と複数の接続箱２と複数の集電箱３と複数のエンクロージャ４と連系変電所５とを備える。
【００１２】
複数の太陽光パネル１は、複数のグループに分けられる。複数の接続箱２の各々は、太陽光パネル１のグループの各々に対応付けて設けられる。複数の接続箱２は、複数のグループに分けられる。複数の集電箱３の各々は、接続箱２のグループの各々に対応付けて設けられる。複数の集電箱３は、複数のグループに分けられる。複数のエンクロージャ４の各々は、集電箱３のグループの各々に対応付けて設けられる。
【００１３】
複数のエンクロージャ４の各々は、複数の空調機６と複数のパワーコンディショナ７とリモート盤８とを備える。リモート盤８は、監視器９とＨＵＢ１０とを収納する。
【００１４】
連系変電所５は、受変電設備１１と事務所１２とを備える。事務所１２は、監視装置１３とＨＵＢ１４とルータ１５とを備える。
【００１５】
複数の第１扉開閉検出器１６の各々は、複数の接続箱２の各々の扉に設けられる。複数の第２扉開閉検出器１７の各々は、複数の集電箱３の各々の扉に設けられる。複数の第３扉開閉検出器１８は、複数のエンクロージャ４の各々の扉に設けられる。
【００１６】
複数の太陽光パネル１の各々は、電力用電線を介して対応した接続箱２に接続される。複数の接続箱２の各々は、電力用電線を介して対応した集電箱３に接続される。複数の集電箱３の各々は、電力用電線を介して対応したパワーコンディショナ７に接続される。複数のパワーコンディショナ７の各々は、電力用電線を介して受変電設備１１に接続される。
【００１７】
複数のパワーコンディショナ７の各々は、信号用電線を介して対応したＨＵＢ１０に接続される。複数の監視器９の各々は、信号用電線を介して対応したＨＵＢ１０に接続される。複数のＨＵＢ１０の各々は、信号用電線を介してＨＵＢ１４に接続される。監視装置１３は、信号用電線を介してＨＵＢ１４に接続される。ＨＵＢ１４は、信号用電線を介してルータ１５に接続される。
【００１８】
複数の第１扉開閉検出器１６の各々は、信号用電線を介して対応した監視器９に接続される。複数の第２扉開閉検出器１７の各々は、信号用電線を介して対応した監視器９に接続される。複数の第３扉開閉検出器１８の各々は、信号用電線を介して対応したＨＵＢ１０に接続される。
【００１９】
遠隔地事務所１９は、太陽光発電所から離れた場所に設けられる。遠隔地事務所１９は、遠隔監視装置２０を備える。例えば、遠隔監視装置２０は、遠隔監視用ＰＣからなる。
【００２０】
太陽光発電所において、複数の太陽光パネル１の各々は、太陽光の照射により直流電力を発生させる。複数のパワーコンディショナ７の各々は、太陽光パネル１から接続箱２と集電箱３とを介して入力された直流電力を交流電力に変換する。複数のパワーコンディショナ７の各々は、当該交流電力を受変電設備１１に送る。
【００２１】
太陽光発電所での保守作業時において、作業者は、予め設定されたスケジュールに従って作業を行う。例えば、作業者は、接続箱２の扉を開けて作業を行う。例えば、作業者は、集電箱３の扉を開けて作業を行う。例えば、作業者は、エンクロージャ４の扉を開けて作業を行う。
【００２２】
作業者が接続箱２の扉を開けた場合、対応した第１扉開閉検出器１６は、当該扉が開いたことを示す信号を出力する。作業者が接続箱２の扉を閉めた場合、対応した第１扉開閉検出器１６は、当該扉が閉まったことを示す信号を出力する。
【００２３】
作業者が集電箱３の扉を開けた場合、対応した第２扉開閉検出器１７は、当該扉が開いたことを示す信号を出力する。作業者が集電箱３の扉を閉めた場合、対応した第２扉開閉検出器１７は、当該扉が閉まったことを示す信号を出力する。
【００２４】
作業者がエンクロージャ４の扉を開けた場合、対応した第３扉開閉検出器１８は、当該扉が開いたことを示す信号を出力する。作業者がエンクロージャ４の扉を閉めた場合、対応した第３扉開閉検出器１８は、当該扉が閉まったことを示す信号を出力する。
【００２５】
監視装置１３は、監視器９とＨＵＢ１０とＨＵＢ１４とを介して第１扉開閉検出器１６からの信号と第２扉開閉検出器１７からの信号との入力を受け付ける。監視装置１３は、ＨＵＢ１０とＨＵＢ１４とを介して第３扉開閉検出器１８からの信号との入力を受け付ける。監視装置１３は、入力された信号に対応した情報を記憶する。監視装置１３は、作業者の作業履歴として当該情報を記憶する。
【００２６】
例えば、遠隔監視装置２０は、ＨＵＢ１４とルータ１５と広域イーサネット（登録商標）とを介して監視装置１３に記憶された情報の入力を受け付ける。例えば、遠隔監視装置２０は、ＨＵＢ１４とルータ１５とＶＰＮを介して監視装置１３に記憶された情報の入力を受け付ける。
【００２７】
遠隔地事務所１９において、監視者は、遠隔監視装置２０に記憶された情報に基づいて作業者の安全を監視する。監視者は、遠隔監視装置２０に記憶された情報に基づいて作業者の位置を監視する。監視者は、遠隔監視装置２０に記憶された情報に基づいて作業者の作業履歴を監視する。
【００２８】
次に、図２を用いて、監視装置１３と遠隔監視装置２０とを説明する。
図２はこの発明の実施の形態１における太陽光発電所の監視装置と遠隔監視装置とのブロック図である。
【００２９】
監視装置１３は、入力部１３ａと監視部１３ｂと記憶部１３ｃと出力部１３ｄと表示部１３ｅとを備える。
【００３０】
入力部１３ａは、第１扉開閉検出器１６からの信号と第２扉開閉検出器１７からの信号と第３扉開閉検出器１８からの信号との入力を受け付ける。監視部１３ｂは、作業者の作業履歴として入力部１３ａに入力された信号に対応した情報を生成する。記憶部１３ｃは、監視部１３ｂに生成された情報を記憶する。出力部１３ｄは、監視部１３ｂに生成された情報を出力する。表示部１３ｅは、出力部１３ｄから出力された情報を表示する。
【００３１】
遠隔監視装置２０は、表示部２０ａと記憶部２０ｂとを備える。
【００３２】
表示部２０ａは、監視装置１３の出力部１３ｄから出力された情報を表示する。記憶部２０ｂは、表示部２０ａに表示された情報を記憶する。
【００３３】
次に、図３を用いて、監視装置１３の動作を説明する。
図３はこの発明の実施の形態１における太陽光発電所の監視装置の動作を説明するためのフローチャートである。
【００３４】
ステップＳ１では、監視部１３ｂは、入力部１３ａが第１扉開閉検出器１６と第２扉開閉検出器１７と第３扉開閉検出器１８とのうちのいずれかの扉開閉検出器からの信号の入力を受け付けたか否かを判定する。
【００３５】
ステップＳ１で入力部１３ａが第１扉開閉検出器１６と第２扉開閉検出器１７と第３扉開閉検出器１８とのうちのいずれかの扉開閉検出器からの信号の入力を受け付けていない場合は、ステップＳ１が繰り返される。
【００３６】
ステップＳ１で入力部１３ａが第１扉開閉検出器１６と第２扉開閉検出器１７と第３扉開閉検出器１８とのうちのいずれかの扉開閉検出器からの信号の入力を受け付けた場合は、ステップＳ２に進む。
【００３７】
ステップＳ２では、監視部１３ｂは、入力部１３ａに入力された信号に対応した情報を生成する。その後、ステップＳ３に進む。ステップＳ３では、記憶部１３ｃは、監視部１３ｂに生成された情報を記憶する。
【００３８】
その後、ステップＳ４に進む。ステップＳ４では、出力部１３ｄは、監視部１３ｂに生成された情報を出力する。その後、ステップＳ５に進む。ステップＳ５では、表示部１３ｅは、出力部１３ｄから出力された情報を表示する。その後、動作が終了する。
【００３９】
以上で説明した実施の形態１によれば、太陽光発電所の設備に設けられた機器が作業者の動作に応じた信号を出力した際に当該信号に対応した情報が記憶される。例えば、接続箱２の扉の開閉状況に対応した信号に対応した情報が記憶される。例えば、集電箱３の扉の開閉状況に対応した信号に対応した情報が記憶される。例えば、エンクロージャ４の扉の開閉状況に対応した信号に対応した情報が記憶される。当該情報は、作業者の作業履歴として記憶される。このため、作業者の安全を監視することができる。
【００４０】
なお、予め設定された作業スケジュールに基づいて複数の作業者の安全を監視してもよい。例えば、特定の作業者が特定の接続箱２での作業を行うことが作業スケジュールで決められている場合、特定の接続箱２の開閉状況に対応した信号に対応した情報に基づいて特定の作業者の安全を監視すればよい。
【００４１】
次に、図４を用いて、監視装置１３の要部の例を説明する。
図４はこの発明の実施の形態１における太陽光発電所の監視装置の要部のハードウェア構成図である。
【００４２】
監視装置１３の要部の各機能は、処理回路により実現される。例えば、処理回路は、少なくとも１つのプロセッサ２１ａと少なくとも１つのメモリ２１ｂとを備える。例えば、処理回路は、少なくとも１つの専用のハードウェア２２を備える。
【００４３】
処理回路が少なくとも１つのプロセッサ２１ａと少なくとも１つのメモリ２１ｂとを備える場合、監視装置１３の要部の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ２１ｂに格納される。少なくとも１つのプロセッサ２１ａは、少なくとも１つのメモリ２１ｂに記憶されたプログラムを読み出して実行することにより、監視装置１３の要部の各機能を実現する。少なくとも１つのプロセッサ２１ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ２１ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００４４】
処理回路が少なくとも１つの専用のハードウェア２２を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、監視装置１３の要部の各機能は、それぞれ別の処理回路で実現される。例えば、監視装置１３の要部の各機能は、まとめて処理回路で実現される。
【００４５】
監視装置１３の要部の各機能について、一部を専用のハードウェア２２で実現し、他部をソフトウェア又はファームウェアで実現してもよい。例えば、入力部１３ａと出力部１３ｄと表示部１３ｅとの機能については専用のハードウェア２２としての処理回路で実現し、監視部１３ｂと記憶部１３ｃとの機能については少なくとも１つのプロセッサ２１ａが少なくとも１つのメモリ２１ｂに格納されたプログラムを読み出して実行することによって実現してもよい。
【００４６】
このように、処理回路は、ハードウェア２２、ソフトウェア、ファームウェア、又はこれらの組み合わせによって、監視装置１３の要部の各機能を実現する。
【００４７】
実施の形態２．
図５はこの発明の実施の形態２における太陽光発電所の監視装置のシステム構成図である。なお、実施の形態１と同一又は相当部分には、同一符号が付される。当該部分の説明は省略される。
【００４８】
実施の形態２において、複数の第１無線通信装置２３の各々は、実施の形態１における複数の第１扉開閉検出器１６の各々に代えて設けられる。複数の第２無線通信装置２４の各々は、実施の形態１における複数の第１扉開閉検出器１６の各々に代えて設けられる。複数の第３無線通信装置２５の各々は、実施の形態１における複数の第１扉開閉検出器１６の各々に代えて設けられる。
【００４９】
複数の作業者の各々は、携帯端末２６を備える。
【００５０】
太陽光発電所での保守作業時において、作業者は、予め設定されたスケジュールに従って作業を行う。例えば、作業者は、接続箱２の扉を開けて作業を行う。例えば、作業者は、集電箱３の扉を開けて作業を行う。例えば、作業者は、エンクロージャ４の扉を開けて作業を行う。
【００５１】
作業者が接続箱２の扉を開けた場合、作業者の携帯端末２６は、対応した第１無線通信装置２３の通信可能範囲に存在する。その結果、作業者の携帯端末２６は、対応した第１無線通信装置２３と無線通信を確立する。この際、対応した第１無線通信装置２３は、作業者の携帯端末２６から識別情報の入力を受け付ける。対応した第１無線通信装置２３は、当該扉の傍に当該識別情報に対応した携帯端末２６が存在することを示す信号を出力する。
【００５２】
作業者が集電箱３の扉を開けた場合、作業者の携帯端末２６は、対応した第２無線通信装置２４の通信可能範囲に存在する。その結果、作業者の携帯端末２６は、対応した第２無線通信装置２４と無線通信を確立する。この際、対応した第２無線通信装置２４は、作業者の携帯端末２６から識別情報の入力を受け付ける。対応した第２無線通信装置２４は、当該扉の傍に当該識別情報に対応した携帯端末２６が存在することを示す信号を出力する。
【００５３】
作業者がエンクロージャ４の扉を開けた場合、作業者の携帯端末２６は、対応した第３無線通信装置２５の通信可能範囲に存在する。その結果、作業者の携帯端末２６は、対応した第３無線通信装置２５と無線通信を確立する。この際、対応した第３無線通信装置２５は、作業者の携帯端末２６から識別情報の入力を受け付ける。対応した第３無線通信装置２５は、当該扉の傍に当該識別情報に対応した携帯端末２６が存在することを示す信号を出力する。
【００５４】
監視装置１３は、監視器９とＨＵＢ１０とＨＵＢ１４とを介して第１無線通信装置２３からの信号と第２無線通信装置２４からの信号との入力を受け付ける。監視装置１３は、ＨＵＢ１０とＨＵＢ１４とを介して第３無線通信装置２５からの信号との入力を受け付ける。監視装置１３は、入力された信号に対応した情報を記憶する。監視装置１３は、識別情報に対応した作業者の作業履歴として当該情報を記憶する。
【００５５】
例えば、遠隔監視装置２０は、ＨＵＢ１４とルータ１５と広域イーサネットとを介して監視装置１３に記憶された情報の入力を受け付ける。例えば、遠隔監視装置２０は、ＨＵＢ１４とルータ１５とＶＰＮを介して監視装置１３に記憶された情報の入力を受け付ける。
【００５６】
遠隔地事務所１９において、監視者は、遠隔監視装置２０に記憶された情報に基づいて識別情報に対応した作業者の安全を監視する。監視者は、遠隔監視装置２０に記憶された情報に基づいて識別情報に対応した作業者の位置を監視する。監視者は、遠隔監視装置２０に記憶された情報に基づいて識別情報に対応した作業者の作業履歴を監視する。
【００５７】
次に、図６を用いて、監視装置１３を説明する。
図６はこの発明の実施の形態２における太陽光発電所の監視装置と遠隔監視装置とのブロック図である。
【００５８】
監視装置１３において、入力部１３ａは、第１無線通信装置２３からの信号と第２無線通信装置２４からの信号と第３無線通信装置２５からの信号との入力を受け付ける。監視部１３ｂは、識別情報に対応した作業者の作業履歴として入力部１３ａに入力された信号に対応した情報を生成する。記憶部１３ｃは、監視部１３ｂに生成された情報を記憶する。出力部１３ｄは、監視部１３ｂに生成された情報を出力する。表示部１３ｅは、出力部１３ｄから出力された情報を表示する。
【００５９】
次に、図７を用いて、監視装置１３の動作を説明する。
図７はこの発明の実施の形態２における太陽光発電所の監視装置の動作を説明するためのフローチャートである。
【００６０】
ステップＳ１１では、監視部１３ｂは、入力部１３ａが第１無線通信装置２３と第２無線通信装置２４と第３無線通信装置２５とのうちのいずれかの無線通信装置からの信号の入力を受け付けたか否かを判定する。
【００６１】
ステップＳ１１で入力部１３ａが第１無線通信装置２３と第２無線通信装置２４と第３無線通信装置２５とのうちのいずれかの扉開閉検出器からの信号の入力を受け付けていない場合は、ステップＳ１１が繰り返される。
【００６２】
ステップＳ１１で入力部１３ａが第１無線通信装置２３と第２無線通信装置２４と第３無線通信装置２５とのうちのいずれかの無線通信装置からの信号の入力を受け付けた場合は、ステップＳ１２に進む。
【００６３】
ステップＳ１２では、監視部１３ｂは、入力部１３ａに入力された信号に対応した情報を生成する。その後、ステップＳ１３に進む。ステップＳ１３では、記憶部１３ｃは、監視部１３ｂに生成された情報を記憶する。
【００６４】
その後、ステップＳ１４に進む。ステップＳ１４では、出力部１３ｄは、監視部１３ｂに生成された情報を出力する。その後、ステップＳ１５に進む。ステップＳ１５では、表示部１３ｅは、出力部１３ｄから出力された情報を表示する。その後、動作が終了する。
【００６５】
以上で説明した実施の形態２によれば、第１無線通信装置２３が携帯端末２６と無線通信を確立した際に出力される信号に対応した情報が記憶される。第２無線通信装置２４が携帯端末２６と無線通信を確立した際に出力される信号に対応した情報が記憶される。第３無線通信装置２５が携帯端末２６と無線通信を確立した際に出力される信号に対応した情報が記憶される。当該情報は、識別情報を含む。当該情報は、識別情報に対応した作業者の作業履歴として記憶される。このため、複数の作業者の安全を監視することができる。
【００６６】
なお、第１無線通信装置２３と第２無線通信装置２４と第３無線通信装置２５とに加え、第１扉開閉検出器１６と第２扉開閉検出器１７と第３扉開閉検出器１８とを設けてもよい。この場合、異なる信号に基づいて複数の作業者の安全をより確実に監視することができる。
【００６７】
実施の形態３．
図８はこの発明の実施の形態３における太陽光発電所の監視装置のシステム構成図である。なお、実施の形態２と同一又は相当部分には、同一符号が付される。当該部分の説明は省略される。
【００６８】
実施の形態３の太陽光発電所は、実施の形態２の太陽光発電所に気温計２７と複数の室温計２８と複数の報知装置２９とを付加した太陽光発電所である。
【００６９】
気温計２７は、太陽光発電所において予め設定された屋外に設けられる。複数の室温計２８の各々は、複数のエンクロージャ４の各々の内部に設けられる。複数の報知装置２９の各々は、複数のエンクロージャ４の各々の内部に設けられる。
【００７０】
気温計２７は、信号用電線を介してＨＵＢ１０のひとつに接続される。複数の室温計２８の各々は、信号用電線を介して対応したＨＵＢ１０に接続される。複数の報知装置２９の各々は、対応したＨＵＢ１０に接続される。
【００７１】
気温計２７は、外気温を測定する。複数の室温計２８の各々は、複数のエンクロージャ４の各々の内部における温度を測定する。
【００７２】
監視装置１３は、ＨＵＢ１０とＨＵＢ１４とを介して気温計２７の測定値に対応した信号の入力を受け付ける。監視装置１３は、ＨＵＢ１０とＨＵＢ１４とを介して室温計２８の測定値に対応した信号の入力を受け付ける。監視装置１３は、入力された信号に対応した測定値の情報を記憶する。
【００７３】
気温計２７の測定値が予め設定された値を超えた場合、監視装置１３は、第１無線通信装置２３と第２無線通信装置２４と第３無線通信装置２５とに対して携帯端末２６に警報を報知するように指示する信号を出力する。第１無線通信装置２３と第２無線通信装置２４と第３通信装置とは、当該信号に基づいて通信可能範囲に存在する携帯端末２６に対して無線通信を確立した上で熱中症の可能性を示す警報を表示または音声により報知させる。
【００７４】
気温計２７の測定値が予め設定された値を超えた場合、監視装置１３は、報知装置２９に警報を報知するように指示する信号を出力する。報知装置２９は、当該信号に基づいて熱中症の可能性を示す警報を表示または音声により報知する。
【００７５】
室温計２８の測定値が予め設定された値を超えた場合、監視装置１３は、報知装置２９に警報を報知するように指示する信号を出力する。報知装置２９は、当該信号に基づいて熱中症の可能性を示す警報を表示または音声により報知する。
【００７６】
監視装置１３は、記憶した測定値の情報と作業地点に対応した信号の入力を受け付けた時刻の情報とに基づいて作業情報を作成する。例えば、監視装置１３は、作業者に対応した識別情報と気温計２７の測定値と作業地点間の移動時間とに基づいて異常作業時間と標準移動時間とを識別情報に対応付けて生成する。
【００７７】
作業者の作業時間が対応した識別情報に対応付けられた異常作業時間を超えた場合、監視装置１３は、異常と判定する。
【００７８】
作業者の移動時間が予め設定された回数だけ連続して対応した識別情報に対応付けられた標準移動時間を超えた場合、監視装置１３は、異常と判定する。
【００７９】
例えば、遠隔監視装置２０は、ＨＵＢ１４とルータ１５と広域イーサネットとを介して監視装置１３に記憶された情報の入力を受け付ける。例えば、遠隔監視装置２０は、ＨＵＢ１４とルータ１５とＶＰＮを介して監視装置１３に記憶された情報の入力を受け付ける。
【００８０】
遠隔地事務所１９において、監視者は、遠隔監視装置２０が受け付けた情報に基づいて気温計２７の測定値と室温計２８の測定値とを監視する。監視者は、気温計２７の測定値と室温計２８の測定値とに基づいて熱中症の可能性を監視する。監視装置１３は、遠隔監視装置２０が受け付けた情報に基づいて異常を監視する。
【００８１】
次に、図９を用いて、監視装置１３を説明する。
図９はこの発明の実施の形態３における太陽光発電所の監視装置と遠隔監視装置とのブロック図である。
【００８２】
監視装置１３において、入力部１３ａは、気温計２７からの信号と室温計２８からの信号との入力を受け付ける。監視部１３ｂは、入力部１３ａに入力された信号に基づいて熱中症の可能性を示す警報に対応した情報を生成する。監視部１３ｂは、作業者に対応した識別情報と気温の測定値と作業地点間の移動時間とに基づいて異常作業時間と標準移動時間との情報を識別情報に対応付けて生成する。監視部１３ｂは、作業時間と移動時間に関する異常判定の結果に対応した情報を生成する。記憶部１３ｃは、監視部１３ｂを介して入力部１３ａに入力された信号に対応した測定値の情報を記憶する。記憶部１３ｃは、監視装置１３に生成された情報を記憶する。出力部１３ｄは、監視部１３ｂに生成された情報を出力する。表示部１３ｅは、出力部１３ｄから出力された情報を表示する。
【００８３】
次に、図１０を用いて、監視装置１３の動作を説明する。
図１０はこの発明の実施の形態３における太陽光発電所の監視装置の動作を説明するためのフローチャートである。
【００８４】
ステップＳ３１では、監視部１３ｂは、異常作業時間の情報を生成する。ステップＳ３２では、監視部１３ｂは、標準移動時間の情報を生成する。ステップＳ３１とステップＳ３２との後は、ステップＳ３３に進む。ステップＳ３３では、監視部１３ｂは、作業者の数が予め設定されたＮよりも大きいか否かを判定する。
【００８５】
ステップＳ３３で作業者の数が予め設定されたＮよりも大きい場合は、動作が終了する。
【００８６】
ステップＳ３３で作業者の数が予め設定されたＮ以下の場合は、ステップＳ３４に進む。ステップＳ３４では、監視部１３ｂは、作業者に対応した識別情報を取得する。その後、ステップＳ３５に進む。ステップＳ３５では、監視部１３ｂは、気温計２７からの信号と室温計２８からの信号とに基づいて熱中症の可能性があるか否かを判定する。
【００８７】
ステップＳ３５で熱中症の可能性がない場合は、ステップＳ３６に進む。ステップＳ３６では、監視部１３ｂは、作業者に対応した識別情報の移動時間と気温計２７の測定値との情報を取得する。その後、ステップＳ３７に進む。ステップＳ３７では、監視部１３ｂは、作業時間が異常作業時間を超えたか否かを判定する。
【００８８】
ステップＳ３７で作業時間が異常作業時間を超えていない場合は、ステップＳ３８に進む。ステップＳ３８では、監視部１３ｂは、移動時間が予め設定された回数だけ連続して標準移動時間を超えた否かを判定する。
【００８９】
ステップＳ３８で移動時間が予め設定された回数だけ連続して標準移動時間を超えていない場合は、ステップＳ３９に進む。ステップＳ３９では、監視部１３ｂは、正常と判定する。その後、動作が終了する。
【００９０】
ステップＳ３５で熱中症の可能性がある場合は、ステップＳ４０に進む。ステップＳ４０では、監視部１３ｂは、熱中症の可能性があることを示す警報の報知を指示する。その後、ステップＳ３３に戻る。
【００９１】
ステップＳ３７で作業時間が異常作業時間を超えた場合は、ステップＳ４１に進む。ステップＳ４１では、監視部１３ｂは、異常と判定する。その後、動作が終了する。
【００９２】
ステップＳ３８で移動時間が予め設定された回数だけ連続して標準移動時間を超えた場合は、ステップＳ４１に進む。ステップＳ４１では、異常と判定する。その後、動作が終了する。
【００９３】
以上で説明した実施の形態３によれば、気温計２７の測定値が予め設定された値を超えた場合、第１無線通信装置２３と第２無線通信装置２４と第３無線通信装置２５とは、携帯端末２６に警報を報知するように指示される。このため、熱中症の可能性があることを屋外の作業者に対して報知することができる。
【００９４】
また、気温計２７の測定値が予め設定された値を超えた場合、報知装置２９は、警報を報知するように指示される。このため、熱中症の可能性があることを携帯電話による通信が確立しにくいエンクロージャ４の内部の作業者に対して報知することができる。
【００９５】
また、作業者の作業時間が異常作業時間を超えた場合、異常判定がなされる。このため、体調がすぐれずに作業に時間がかかっている作業者を把握することができる。
【００９６】
また、作業者の移動時間が予め設定された回数だけ標準移動時間を超えた場合、異常判定がなされる。このため、体調がすぐれずに移動に時間がかかっている作業者を把握することができる。
【００９７】
なお、太陽光発電所の内部において複数の気温計２７を分散して配置してもよい。この場合、各地点の外気温をより適切に測定することができる。
【００９８】
実施の形態４．
図１１はこの発明の実施の形態４における太陽光発電所の監視装置のシステム構成図である。なお、実施の形態３と同一又は相当部分には、同一符号が付される。当該部分の説明は省略される。
【００９９】
実施の形態４の太陽光発電所は、実施の形態３の太陽光発電所に複数の雨量計３０を付加した太陽光発電所である。
【０１００】
複数の雨量計３０の各々は、複数のエンクロージャ４の各々の周辺に設けられる。
【０１０１】
複数の雨量計３０の各々は、信号用電線を介して対応したＨＵＢ１０に接続される。
【０１０２】
複数の雨量計３０の各々は、複数のエンクロージャ４の各々の周辺の雨量を測定する。
【０１０３】
監視装置１３は、ＨＵＢ１０とＨＵＢ１４とを介して雨量計３０の測定値に対応した信号の入力を受け付ける。監視装置１３は、入力された信号に対応した測定値の情報を記憶する。
【０１０４】
雨量計３０の測定値が予め設定された値を超えた場合、監視装置１３は、対応した第１無線通信装置２３と第２無線通信装置２４と第３無線通信装置２５とに対して携帯端末２６に警報を報知するように指示する信号を出力する。対応した第１無線通信装置２３と第２無線通信装置２４と第３通信装置とは、当該信号に基づいて通信可能範囲に存在する携帯端末２６に対して無線通信を確立した上で作業の中止を示す警報を表示または音声により報知させる。
【０１０５】
雨量計３０の測定値が予め設定された値を超えた場合、監視装置１３は、報知装置２９に警報を報知するように指示する信号を出力する。報知装置２９は、当該信号に基づいて作業の中止を示す警報を表示または音声により報知する。
【０１０６】
例えば、遠隔監視装置２０は、ＨＵＢ１４とルータ１５と広域イーサネットとを介して監視装置１３に記憶された情報の入力を受け付ける。例えば、遠隔監視装置２０は、ＨＵＢ１４とルータ１５とＶＰＮを介して監視装置１３に記憶された情報の入力を受け付ける。
【０１０７】
遠隔地事務所１９において、監視者は、遠隔監視装置２０に記憶された情報に基づいて雨量計３０の測定値を監視する。監視者は、雨量計３０の測定値に基づいて雨量を監視する。
【０１０８】
次に、図１２を用いて、監視装置１３を説明する。
図１２はこの発明の実施の形態４における太陽光発電所の監視装置と遠隔監視装置のブロック図である。
【０１０９】
監視装置１３において、入力部１３ａは、雨量計３０からの信号の入力を受け付ける。監視部１３ｂは、入力部１３ａに入力された信号に基づいて作業の中止を示す警報に対応した情報を生成する。監視部１３ｂは、入力部１３ａに入力された信号に基づいて作業の中止を示す警報に対応した情報を生成する。記憶部１３ｃは、監視部１３ｂを介して入力部１３ａに入力された信号に対応した測定値の情報を記憶する。記憶部１３ｃは、監視部１３ｂに生成された情報をきおくする。出力部１３ｄは、監視部１３ｂに生成された情報を出力する。表示部１３ｅは、出力部１３ｄから出力された情報を表示する。
【０１１０】
次に、図１３を用いて、監視装置１３の動作を説明する。
図１３はこの発明の実施の形態４における太陽光発電所の監視装置の動作を説明するためのフローチャートである。
【０１１１】
ステップＳ５１からステップＳ５４は、図１０のステップＳ３１からステップＳ３４と同じである。ステップＳ５４の後は、ステップＳ５５に進む。ステップＳ５５では、監視部１３ｂは、雨が降っているか否かを判定する。
【０１１２】
ステップＳ５５で雨が降っていない場合は、ステップＳ５６に進む。ステップＳ５６からステップＳ５９は、図１０のステップＳ３６からステップＳ３９と同じである。
【０１１３】
ステップＳ５５で雨が降っている場合は、ステップＳ６０に進む。ステップＳ６０では、監視部１３ｂは、作業の中止を示す警報の報知を指示する。その後、ステップＳ５３に戻る。
【０１１４】
ステップＳ５７で作業時間が異常作業時間を超えた場合は、ステップＳ６１に進む。ステップＳ６１では、監視部１３ｂは、異常と判定する。その後、動作が終了する。
【０１１５】
ステップＳ５８で移動時間が予め設定された回数だけ連続して標準移動時間を超えた場合は、ステップＳ６１に進む。ステップＳ６１では、異常と判定する。その後、動作が終了する。
【０１１６】
以上で説明した実施の形態４によれば、雨量計３０の測定値が予め設定された値を超えた場合、第１無線通信装置２３と第２無線通信装置２４と第３無線通信装置２５とは、携帯端末２６に警報を報知するように指示される。このため、作業の中止を屋外の作業者に対して報知することができる。
【０１１７】
また、雨量計３０の測定値が予め設定された値を超えた場合、報知装置２９は、警報を報知するように指示される。このため、作業の中止を携帯電話による通信が確立しにくいエンクロージャ４の内部の作業者に対して報知することができる。
【０１１８】
なお、太陽光発電所の内部において複数の雨量計３０を分散して配置してもよい。この場合、各地点の雨量をより適切に測定することができる。
【符号の説明】
【０１１９】
１  太陽光パネル、  ２  接続箱、  ３  集電箱、  ４  エンクロージャ、  ５  連系変電所、  ６  空調機、  ７  パワーコンディショナ、  ８  リモート盤、  ９  監視器、  １０  ＨＵＢ、  １１  受変電設備、  １２  事務所、  １３  監視装置、  １３ａ  入力部、  １３ｂ  監視部、  １３ｃ  記憶部、  １３ｄ  出力部、  １３ｅ  表示部、  １４  ＨＵＢ、  １５  ルータ、  １６  第１扉開閉検出器、  １７  第２扉開閉検出器、  １８  第３扉開閉検出器、  １９  遠隔地事務所、  ２０  遠隔監視装置、  ２０ａ  表示部、  ２０ｂ  記憶部、  ２１ａ  プロセッサ、  ２１ｂ  メモリ、  ２２  ハードウェア、  ２３  第１無線通信装置、  ２４  第２無線通信装置、  ２５  第３無線通信装置、  ２６  携帯端末、  ２７  気温計、  ２８  室温計、  ２９  報知装置、  ３０  雨量計
【図１】
0006565717.tif 000002
【図２】
0006565717.tif 000003
【図３】
0006565717.tif 000004
【図４】
0006565717.tif 000005
【図５】
0006565717.tif 000006
【図６】
0006565717.tif 000007
【図７】
0006565717.tif 000008
【図８】
0006565717.tif 000009
【図９】
0006565717.tif 000010
【図１０】
0006565717.tif 000011
【図１１】
0006565717.tif 000012
【図１２】
0006565717.tif 000013
【図１３】
0006565717.tif 000014